(57)【要約】【課題】複数の波長のレーザ出力を同一光軸上から容易に取り出すことのできるアップコンバージョンファイバレーザ装置を得る。【解決手段】３価のプラセオジム（Ｐｒ３＋）イオンを添加した光ファイバ１３３，１４３を外部からの励起光源１１にて、アップコンバージョン励起してレーザ光を発生させる装置にあって、第１および第２の波長共振器１３，１４をつなげて１つのファイバから第１および第２の波長のレーザ光を得る場合に、一方から他方の共振器の影響を与えないようにするため、戻り光防止部１２を設置した。これにより、例えば第２の波長の光が、第１の波長共振器１３を含んで共振状態が起こらないようにでき、確実に第１および第２の波長を共に発振させることが可能となる。【選択図】      図２
2004165396.tif 000002
【特許請求の範囲】
【請求項１】
３価のプラセオジウムイオン（Ｐｒ３＋）が添加された光ファイバを励起するためのレーザ光を発生させる励起光源と、
前記レーザ光により前記Ｐｒ３＋添加光ファイバをアップコンバージョン励起して第１および第２の波長を発生させ、該第１の波長に対し共振したレーザ光を発振する第１の波長共振器と、
前記第１の波長共振器より出力される前記第１、第２の波長および前記レーザ光が入力され、Ｐｒ３＋添加光ファイバをアップコンバージョン励起して前記第２の波長に対し共振したレーザ光を発振する第２の波長共振器と、
前記第１の波長共振器から出力された前記第２の波長の光を、前記第１の波長共振器に戻さないようにする戻り防止手段とを具備したことを特徴とするアップコンバージョンファイバレーザ装置。
【請求項２】
３価のプラセオジウムイオン（Ｐｒ３＋）および３価のイッテルビウムイオン（Ｙｂ３＋）が添加された光ファイバを励起するためのレーザ光を発生させる励起光源と、
前記レーザ光により前記Ｐｒ３＋およびＹｂ３＋添加光ファイバをアップコンバージョン励起して第１および第２の波長を発生させ、該第１の波長に対し共振したレーザ光を発振する第１の波長共振器と、
前記第１の波長共振器より出力される前記第１、第２の波長および前記レーザ光を入力し、前記Ｐｒ３＋およびＹｂ３＋添加光ファイバをアップコンバージョン励起して前記第２の波長に対し共振したレーザ光を発振する第２の波長共振器と、
前記第１の波長共振器から出力された前記第２の波長の光を、前記第１の波長共振器に戻さないようにする戻り防止手段とを具備したことを特徴とするアップコンバージョンファイバレーザ装置。
【請求項３】
前記戻り防止手段は、前記第１の波長共振器の外側に設置された反射素子であることを特徴とする請求項１または２記載のアップコンバージョンファイバレーザ装置。
【請求項４】
前記戻り防止手段は、前記第１の波長共振器の外側に設置された吸収素子であることを特徴とする請求項１または２記載のアップコンバージョンファイバレーザ装置。
【請求項５】
前記戻り防止手段は、前記第１の波長の共振器の外側に設置された放射素子であることを特徴とする請求項１または２記載のアップコンバージョンファイバレーザ装置。
【請求項６】
前記第１の波長は６９５ｎｍ付近、前記第２の波長は６３５ｎｍ付近であることを特徴とする請求項１〜５のいずれかに記載のアップコンバージョンファイバレーザ装置。
【請求項７】
前記戻り防止手段を、励起光源と一体構成としたことを特徴とする請求項１または２記載のアップコンバージョンファイバレーザ装置。
【請求項８】
３価のプラセオジウムイオン（Ｐｒ３＋）を添加したファイバを外部からアップコンバージョン励起してレーザ光を発生させるアップコンバージョンファイバレーザ装置において、
前記Ｐｒ３＋添加光ファイバを励起する手段、第１の波長に対する第１共振器および第２の波長に対する第２共振器を備え、
前記第１共振器から発生した第１の波長のレーザ光を前記第２共振器内に入力し、前記第２共振器の出力として前記第１の波長のレーザ光と前記第２共振器から発生する第２の波長のレーザ光を出力するとともに、前記第１共振器から出力される第２の波長の光が前記第１共振器に戻らないようにした戻り防止手段と備えたことを特徴とするアップコンバージョンファイバレーザ装置。
【請求項９】
３価のプラセオジウムイオン（Ｐｒ３＋）および３価のイッテルビウムイオン（Ｙｂ３＋）を添加したファイバを外部からアップコンバージョン励起してレーザ光を発生させる装置において、
前記Ｐｒ３＋およびＹｂ３＋添加ファイバを励起する手段、第１の波長に対する第１共振器および第２の波長に対する第２共振器を備え、
前記第１共振器から発生した第１の波長のレーザ光を前記第２共振器内に入力し、前記第２共振器の出力として前記第１の波長のレーザ光と前記第２共振器から発生する第２の波長のレーザ光を出力するとともに、前記第１共振器から出力される第２の波長の光が前記第１共振器に戻らないようにした戻り防止手段を備えた特徴とするアップコンバージョンファイバレーザ装置。
【請求項１０】
それぞれＲ，Ｇ，Ｂ光を出力する複数のレーザ装置と、
前記Ｒ，Ｇ，Ｂ出力光を空間変調する複数の空間変調素子と、
前記複数の空間変調素子によりそれぞれ空間変調されたＲ，Ｇ，Ｂ光を合成する合成手段と、
前記合成手段の出力光を所定の位置に結像させる光学素子とを具備し、
前記Ｂ光は、請求項１または２に基づく前記アップコンバージョンファイバレーザ装置により生成されたものであることを特徴とする映像表示装置。
【請求項１１】
それぞれＲ，Ｇ，Ｂ光を第１の光ファイバより出力する複数のレーザ装置と、
前記第１の光ファイバのコア径と異なるコア径の第２の光ファイバの出力光を１つにまとめ、巨視的に見て白色光となるようにする白色光生成手段と、
前記白色光生成手段の出力光を空間変調する空間変調素子と、
前記空間変調素子により空間変調された光を所定の位置に結像させる光学素子とを具備し、
前記Ｂ光は、請求項１または２に基づく前記アップコンバージョンファイバレーザ装置により生成されたものであることを特徴とする映像表示装置。
【発明の詳細な説明】
【０００１】
【発明の属する技術分野】
この発明は、複数の波長のレーザ出力を同一光軸上から容易に取り出すアップコンバージョンファイバレーザ装置およびこれを用いた映像表示装置に関する。
【０００２】
【従来の技術】
従来のアップコンバージョンレーザ装置は、１本のアップコンバージョンファイバレーザから複数のレーザ光を取り出す構成が示されている。（例えば、特許文献１）
【０００３】
【特許文献１】
特開２００２−１１１１０８号公報（第３〜４頁、図２）
【０００４】
【発明が解決しようとする課題】
上記した特許文献１の技術は、高密度に励起して、高出力のレーザ光を得る場合に、励起光入力手段での反射のため、第１の共振器の外側に新たな第２の波長に対する共振器が構成され、第１の波長のレーザ光出力が低下する、という問題があった。
【０００５】
この発明の目的は、第２の波長に対しての新たな共振器を構成しないようにして、第１の波長のレーザ出力低下を防ぐようにしたアップコンバージョンファイバレーザ装置およびこれを用いた映像表示装置を提供することにある。
【０００６】
【課題を解決するための手段】
上記した課題を解決するために、この発明のアップコンバージョンファイバレーザ装置は、３価のプラセオジウムイオン（Ｐｒ３＋）が添加された光ファイバを励起するためのレーザ光を発生させる励起光源と、前記レーザ光により前記Ｐｒ３＋添加光ファイバをアップコンバージョン励起して第１および第２の波長を発生させ、該第１の波長に対し共振したレーザ光を発振する第１の波長共振器と、前記第１の波長共振器より出力される前記第１、第２の波長および前記レーザ光を入力し、Ｐｒ３＋添加光ファイバをアップコンバージョン励起して前記第２の波長に対し共振したレーザ光を発振する第２の波長共振器と、前記第１の波長共振器から出力された前記第２の波長の光を、前記第１の波長共振器に戻さないようにする戻り防止手段とを具備したことを特徴とする。
【０００７】
また、この発明のアップコンバージョンファイバレーザ装置は、３価のプラセオジウムイオン（Ｐｒ３＋）および３価のイッテルビウムイオン（Ｙｂ３＋）が添加された光ファイバを励起するためのレーザ光を発生させる励起光源と、前記レーザ光により前記Ｐｒ３＋およびＹｂ３＋添加光ファイバをアップコンバージョン励起して第１および第２の波長を発生させ、該第１の波長に対し共振したレーザ光を発振する第１の波長共振器と、前記第１の波長共振器より出力される前記第１、第２の波長および前記レーザ光を入力し、前記Ｐｒ３＋およびＹｂ３＋添加光ファイバをアップコンバージョン励起して前記第２の波長に対し共振したレーザ光を発振する第２の波長共振器と、前記第１の波長共振器から出力された前記第２の波長の光を、前記第１の波長共振器に戻さないようにする戻り防止手段とを具備したことを特徴とする。
【０００８】
また、この発明のアップコンバージョンファイバレーザ装置は、３価のプラセオジウムイオン（Ｐｒ３＋）を添加したファイバを外部からアップコンバージョン励起してレーザ光を発生させる装置において、前記Ｐｒ３＋添加光ファイバを励起する手段、第１の波長に対する第１共振器および第２の波長に対する第２共振器を備え、前記第１共振器から発生した第１の波長のレーザ光を前記第２共振器内に入力し、前記第２共振器の出力として前記第１の波長のレーザ光と前記第２共振器から発生する第２の波長のレーザ光を出力するとともに、前記第１共振器から出力される第２の波長の光が前記第１共振器に戻らないようにした戻り防止手段を備えた特徴とする。
【０００９】
さらに、この発明のアップコンバージョンファイバレーザ装置は、３価のプラセオジウムイオン（Ｐｒ３＋）および３価のイッテルビウムイオン（Ｙｂ３＋）を添加したファイバを外部からアップコンバージョン励起してレーザ光を発生させる装置において、前記Ｐｒ３＋およびＹｂ３＋添加光ファイバを励起する手段、第１の波長に対する第１共振器および第２の波長に対する第２共振器を備え、前記第１共振器から発生した第１の波長のレーザ光を前記第２共振器内に入力し、前記第２共振器の出力として前記第１の波長のレーザ光と前記第２共振器から発生する第２の波長のレーザ光を出力するとともに、前記第１共振器から出力される第２の波長の光が前記第１共振器に戻らないようにした戻り防止手段を備えた特徴とする。
【００１０】
この発明の映像表示装置は、それぞれＲ，Ｇ，Ｂ光を出力する複数のレーザ装置にあって、前記Ｒ，Ｇ，Ｂ出力光を空間変調する複数の空間変調素子と、前記複数の空間変調素子によりそれぞれ空間変調されたＲ，Ｇ，Ｂ光を合成する合成手段と、前記合成手段の出力光を所定の位置に結像させる光学素子とを具備し、前記Ｂ光は、請求項１または２に基づく前記アップコンバージョンファイバレーザ装置により生成されたものであることを特徴とする。
【００１１】
また、この発明の映像表示装置は、それぞれＲ，Ｇ，Ｂ光を第１の光ファイバより出力する複数のレーザ装置にあって、前記第１の光ファイバのコア径と異なるコア径の第２の光ファイバの出力光を１つにまとめ、巨視的に見て白色光となるようにする白色光生成手段と、前記白色光生成手段の出力光を空間変調する空間変調素子と、前記空間変調素子により空間変調された光を所定の位置に結像させる光学素子とを具備し、前記Ｂ光は、請求項１または２に基づく前記アップコンバージョンファイバレーザ装置により生成されたものであることを特徴とする。
【００１２】
【発明の実施の形態】
以下、この発明の実施の形態について、図面を参照しながら詳細に説明する。図１は、この発明のアップコンバージョンファイバレーザ装置の第１の実施の形態について説明するための概念図で、図２は図１を具体例について説明するための構成図である。
【００１３】
図１において、１１は３価のブラオセジウムイオンＰｒ３＋が添加された光ファイバを励起するための励起光源である。励起光源１１より出力される励起光ａは、第２の波長戻り防止部１２を通過し、第１の波長共振器１３に入力する。この第１の波長共振器１３からの出力光ｂには、６９５ｎｍ付近の第１の波長のレーザ光と励起光ａおよびレーザ光ではないブラセオジウムイオンＰｒ３＋が励起されたことにより発生する６３５ｎｍ付近の第２の波長の光が含まれている。これらの光は第２の波長共振器１４に入力する。この第２の波長共振器１４からの出力光ｃには第２の波長のレーザ光と第１の波長のレーザ光とが含まれている。
【００１４】
図２を用い、図１のより具体的な構成について説明する。励起光源１１は、その出力からプラオセジウムイオンＰｒ３＋を励起するために、半導体レーザ１１１，１１２からそれぞれ例えば８３５ｎｍ付近と１０１０ｎｍ付近の波長の光を出力させ、８３５ｎｍはコリメートレンズ１１３を介して通過、１０１０ｎｍはコリメートレンズ１１４を介して反射させる誘電体ミラー等の波長選択性を持つミラー１１５から構成する。第２波長戻り防止部１２は、出力光ａは図中右方向に通過させ、第２波長共振器１４で共振させて発生した第２波長の戻り光ｄを反射させる誘電体ミラー等の波長選択性を持つミラー１２１で構成する。１５は集光レンズであり、出力光ａを集光させて第１の波長共振器１３に入力する。
【００１５】
第１の波長共振器１３は反射素子１３１，１３２に介在させたＰｒファイバ１３３から構成する。第２の波長共振器１４は反射素子１４１，１４２に介在させたＰｒ光ファイバ１４３から構成する。なお、第１の波長共振器１３の反射素子１３２と第２の波長共振器１４の反射素子１４１は、光学的に接合する。
【００１６】
ところで、励起光源１１の励起する光ファイバ１３３，１４３については、例えば特開２００２−１１１１０８号公報の段落番号［００３３］に記載されて８３５ｎｍ付近と１０１０ｎｍ付近の波長のレーザ光でＰｒ３＋イオンが添加されたものについて説明した。これ以外に、８５０ｎｍ付近の波長のレーザ光で、Ｐｒ３＋イオンと３価のイッテルビウムイオン（Ｙｂ３＋）が添加された光ファイバを励起するものであってもよい。これについては、例えば特開２００２−１１１１０８号公報の段落番号［００１８］，［００１９］に記載されている。
【００１７】
次に、図１、図２の動作について説明する。励起光ａが入力された第１の波長共振器１３では光ファイバ１３３が励起され、第１の波長の光が共振器１３内で増幅されて、やがて第１の波長のレーザ発振状態になる。第１の波長共振器１３を構成する反射素子１３１，１３２の特性は、第１の波長に対し励起光入力側の反射素子１３１では高反射特性であり、反射素子１３２側では設定した反射率を持った特性で、第２の波長共振器１４へ出力される。このとき、励起光ａの波長に対しては反射素子１３１，１３２とも透過特性を持っている。第２の波長に対しては、両側の反射素子１４１，１４２とも透過特性にするが、第１の波長共振器１３と接している第２の波長共振器１４の反射素子１４１の反射特性が高反射特性のため、実際には第２の波長の光が第１の波長共振器１３の中に戻り光ｄとして戻ってくる。なお、励起光ａは反射素子１４２で反射させるようになっており、出力光ｃとしては取り出さない。
【００１８】
第１の波長共振器１３からの出力光ｂが入力された第２の波長共振器１４では、第１の波長共振器１３と同様にＰｒファイバ１４３が励起され第２の波長の光が共振器１４内で増幅されて、第２の波長のレーザ発振状態に至る。
【００１９】
第２の波長共振器１４を構成する反射素子１４１，１４２の特性は、第１の波長に対して反射素子１４１，１４２とも透過特性を持ち、第２の波長に対しては反射素子１４１では高反射特性であり、反射素子１４２では設定した反射率を持った特性である。
【００２０】
反射素子１３２，１４１を第１および第２の波長共振器の合成とした場合、第１の波長共振器１３の反射素子１３２と第２の波長共振器１４の反射素子１４１の境の反射素子特性を考えると、１つの反射素子として作成することができるので、第１の波長共振器１３の片側の反射特性が第２の波長に対しても高反射特性になり、第２の波長の光が戻り光ｄとして第１の波長共振器１３の側に戻ることになる。
【００２１】
この第１の波長共振器１３を透過した第２の波長の戻り光ｄは、第２の波長戻り防止部１２に入り反射されるので、再度第１の波長共振器１３の中に入ることはない。このため、励起光源１１を構成する部品からの反射により、その部品と第２の波長共振器１４を構成する反射素子とで共振状態になる可能性はなくなり、第１の波長共振器１３内で、第２の波長が増幅し、レーザ発振状態になり第１の波長のレーザ出力が低下することを防止できる。
【００２２】
以上説明したように、第１の波長共振器１３の片方の反射素子の特性が、他の波長に対しても高反射特性であっても、共振状態になることを確実に防ぐことができる。これにより、第１の波長共振器１３から発振する第１の波長のレーザ出力の低下を防止することが可能となる。
【００２３】
次に、この発明のアップコンバージョンファイバレーザ装置の第２の実施の形態について図４、図５を用い説明する。この実施の形態は、第２の波長戻り防止部１２の配置を、第１の波長共振器１３と第２の波長共振器１４との間に変更した部分が第１の実施の形態の構成と異なり、同一の構成部分には同一の符号を付して説明する。なお、ミラー１２１の前後に配させた１２２はコリメートレンズであり、１２３は集光レンズである。
【００２４】
すなわち、励起光源１１から出力される励起光ａは、第１の波長共振器１３に入力する。この第１の波長共振器１３からの出力光ｂには、第１の波長のレーザ光と励起光ａおよびレーザ光ではない第２の波長の光が含まれる。これらの光は第２の波長戻り防止部１２を通り、第２の波長共振器１４に入力される。この第２の波長共振器１４からの出力光ｃには第２の波長のレーザ光と第１の波長のレーザ光とが含まれている。
【００２５】
次に、動作について説明する。励起光ａが入力された第１の波長共振器１３では光ファイバ１３３が励起され、第１の波長の光が共振器１３内で増幅され、やがてレーザ発振状態となる。第１の波長共振器１３を構成する反射素子１３１，１３２の特性は、第１の波長に対し励起光ａが入力される反射素子１３１では高反射特性であり、第２の波長共振器１４側の反射素子１３２では設定した反射率を持った特性で、第２の波長戻り防止部１２側に出力される。このとき、励起光ａの波長と第２の波長に対しては、反射素子１３１，１３２とも透過特性を持っている。
【００２６】
第１の波長共振器１３からの出力光ｂが入力された第２の波長戻り防止部１２では出力光ｂに含まれている第２の波長の戻り光ｄを除去するため、そのあとこの戻り光ｄは第２の波長共振器１４には入力されない。その第２の波長共振器１４では第１の波長共振器１３と同様にＰｒファイバ１４３が励起され第２の波長の光が共振器１４内で増幅されて行き、レーザ発振状態に至る。
【００２７】
第２の波長共振器１４を構成する反射素子１４１，１４２の特性は、第１の波長に対しては反射素子１４１，１４２とも透過特性を持ち、第２の波長に対しては反射素子１４１は高反射特性であり、反射素子１４２は設定した反射率を持った特性である。第２の波長共振器１４で発振した第２の波長のレーザ光の一部は高反射特性を持つ反射素子も微少ではあるが透過するが、第２の波長戻り防止部１２に入ることで、第１の波長共振器１３へ入ることはない。
【００２８】
この実施の形態では、複数の共振器を繋げたとしても、他の共振器の波長で共振状態になることを確実に防ぎ、第１の波長レーザの出力低下を防止させることができることに加え、隣り合う第１および第２の波長共振器の反射素子を兼用することができる。
【００２９】
次に、図６、図７を用いこの発明の第３の実施の形態について説明する。この実施の形態は、励起光源１１内に第２の波長戻り防止部１２を組み込んだ構成部分が第１の実施の形態と異なり、第１の実施の形態と同一の構成には同一の符号を付してここでは異なる部分について説明する。
【００３０】
励起光源１１に第２の波長戻り防止手段１２を一体的に構成したものである。すなわち、励起光源１１は半導体レーザ１１１，１１２、コリメートレンズ１１３，１１４、ミラー１１５、それにミラー１２１、集光レンズ１５から構成されている。集光レンズ１５については第２の波長に対する無反射コート処理がされている。
【００３１】
半導体レーザ１１１，１１２で出力されたそれぞれの励起光は、それぞれコリメートレンズ１１３，１１４、ミラー１１５，１２１、集光レンズ１５を介して、Ｐｒファイバ１１１に入力される。光ファイバ１３３の両端には反射素子１３１と１３２とがあり、第１の波長の光が増幅され、第１の波長のレーザ発振が起こる。このとき、第２の波長の戻り光ｄは反射素子１３１を透過して励起光源１１に戻る。この戻り光ｄは集光レンズ１５を通して、第２の波長戻り防止部１２であるミラー１２１に反射されて第２の波長の光は除去される。これにより、再度第２の波長の光が半導体レーザ端面などで反射されることがなくなり、第１の波長共振器１３に戻ることがなく、第２の波長に対する共振器の構成を防ぐことができる。
【００３２】
この実施の形態によれば、複数の共振器をつなげたとしても、他の共振器の波長で共振状態になることを確実に防ぐことができる。これにより、第１の波長共振器から発振する第１の波長レーザ出力の低下を防止することができる。
【００３３】
図８は、第２の波長戻り防止部の他の具体例である。図８（ａ）は第２の波長を吸収する物質を含んだ吸収体８１を透過させて第２の波長のみを減衰させることで、戻り光を防止している。吸収体８１としては、ツリウム（Ｔｍ）イオンなどを添加したファイバなどがある。また、図８（ｂ）はファイバグレーティング８２によって、ファイバ外に放射（減衰）させることで戻り光を防止している。
【００３４】
以上、説明したようにこの発明のアップコンバージョンファイバレーザ装置の各実施の形態によれば、第２の波長の戻り光ｄが第１の波長共振器１３へ戻ることを防止できるので、２つの共振器を接続しても、他の共振器の波長で共振状態になることを確実に防ぐことができる。これにより、第１の波長共振器１３から発振する第１の波長のレーザ出力低下を防止することかできる。
【００３５】
なお、上記した実施の形態では、第２の波長の戻りによる第１の波長共振器１３への影響について説明したが、逆に第１の波長の戻りによる第２の波長共振器１４への影響を防止するようにしてもよい。
【００３６】
図９は、この発明のアップコンバージョンファイバレーザ装置を用いた映像表示装置の一実施の形態を概略的に示したものである。９０Ｒ，９０Ｇ，９０Ｂは、Ｒ，Ｇ，Ｂの出力光を得るレーザ装置であり、このレーザ装置９０Ｂの構成要素としてアップコンバージョンファイバレーザ装置９１Ｂとツリウムイオン（Ｔｍ３＋）アップコンバージョンレーザ装置９６があり、９１Ｂは図１に示す構成のファイバレーザ装置を用いる。Ｔｍ３＋アップコンバージョンレーザ装置９６は、ファイバレーザ装置９１Ｂから出力されるレーザ光でＴｍイオンが添加されたファイバを励起し、青色レーザ光にアップコンバートするためのものである。
【００３７】
各レーザ装置９１Ｒ，９１Ｇ，９１Ｂから出力されるＲ，Ｇ，Ｂ光は、それぞれの光に応じた液晶パネル９２Ｒ，９２Ｇ，９２Ｂに入力され空間変調を受ける。空間変調を受けたＲ，Ｇ，Ｂ光は、ダイクロイックプリズムなどの合成部９３によって合成ざれ、投射レンズ９４に入力する。この入力光は、投射レンズ９４によってスクリーン９５に映像として表示させる。
【００３８】
図１０は、この発明のアップコンバージョンファイバレーザ装置を用いた映像表示装置の他の実施の形態を概略的に示したものである。レーザ装置９１Ｒ，９１Ｇ，９１Ｂから出力されるＲ，Ｇ，Ｂ光を１つにまとめて巨視的（全体的）に見た場合の白色光を作る。この白色光をカラーフィルタ付の液晶パネル１０１に入力し、投射レンズ９４によってスクリーン９５に映像として表示させる。
【００３９】
上記したこの発明のファイバレーザ装置を用いた各映像表示装置によれば、所望の波長のレーザ出力低下を防止できることから、映像表示における輝度の確保を図ることができる。
【００４０】
【発明の効果】
以上説明したように、この発明のアップコンバージョンファイバレーザ装置によれば、第１および第２の波長共振器を繋げて同一の光ファイバから異なる波長のレーザ光を得る場合の弊害を抑えて同一ファイバから２つの波長のレーザ光を確実に得ることができる。
【００４１】
また、この発明の映像表示装置によれば、レーザの出力低下を防止できることから、映像表示における輝度の確保を図ることができる。
【図面の簡単な説明】
【図１】この発明の第１の実施の形態について説明するための概略図。
【図２】図１をより具体的に説明するための構成図。
【図３】この発明の第２の実施の形態について説明するための構成図。
【図４】図４をより具体的に説明するための構成図。
【図５】この発明の第３の実施の形態について説明するための構成図。
【図６】図６をより具体的に説明するための構成図。
【図７】この発明の第２の波長戻り防止部の（ａ）は他の具体例について説明するための構成図、（ｂ）はもう一つの他の具体例について説明するための構成図である。
【図８】この発明のアップコンバージョンファイバレーザ装置を用いた映像表示装置の一実施の形態について説明するための概略構成図。
【図９】この発明のアップコンバージョンファイバレーザ装置を用いた映像表示装置の他の実施の形態について説明するための概略構成図。
【符号の説明】
１１…励起光源
１２…第２の波長戻り防止部
１３…第１の波長共振器
１４…第２の波長共振器
１１１，１１２…半導体レーザ
１１３，１１４，１５，１２２，１２３…レンズ
１１５，１２１…ミラー
１３３，１４３…光ファイバ
１３１，１３２，１４１，１４２…反射素子
９１Ｒ，９１Ｇ，９１Ｂ…
９２Ｒ，９２Ｇ，９２Ｂ，１０１…液晶パネル
９３…合成部
９４…投射レンズ
９５…スクリーン
９６…Ｔｍ３＋アップコンバージョンレーザ装置
【図１】
2004165396.tif 000003
【図２】
2004165396.tif 000004
【図３】
2004165396.tif 000005
【図４】
2004165396.tif 000006
【図５】
2004165396.tif 000007
【図６】
2004165396.tif 000008
【図７】
2004165396.tif 000009
【図８】
2004165396.tif 000010
【図９】
2004165396.tif 000011